(57)【特許請求の範囲】
【請求項１】
背凭れと、この背凭れに取付支持体を介して取り付けられたオプション部材とを備える椅子において、
前記取付支持体は、前部に、前記背凭れへの取付部を有し、かつ後部に、前後方向に弾性変形可能であって、前記オプション部材を、弾性的に挾持することによって上下位置調節可能に支持する支持部を有する第１取付部材と、後部が前記第１取付部材の支持部の一部に当接して、その一部を前記オプション部材に向かって押動するようにして、前記第１取付部材に取り付けられた第２取付部材とを備えていることを特徴とする椅子。
【請求項２】
第２取付部材を、第１取付部材に、取付ねじをもって締め付けて固定し、かつ第２取付部材の後部と第１取付部材の支持部との対向面を、前記取付ねじの締め付けに伴って、前記第２取付部材の後部が、前記支持部を、オプション部材に向かって押圧するような傾斜面としたことを特徴とする請求項１記載の椅子。
【請求項３】
支持部が、第１取付部材の後部に設けた後面板と、その前方に設けた弾性変形可能とした弾性突片とを備え、前記後面板と弾性突片とをもって、オプション部材における上下方向を向く部分を弾性力により把持するようにしたことを特徴とする請求項１または２に記載の椅子。
【請求項４】
第１取付部材の前部に、左右方向を向く枢軸を設け、第２取付部材の前部に、前記枢軸に回動可能に嵌合する嵌合部を設け、前記嵌合部を枢軸に嵌合させた状態で、第２取付部材における前記枢軸または嵌合部から離れた部分を、前記第１取付部材に螺締することにより、第２取付部材の後端に設けた突出部を、支持部の前面に当接させるようにしたことを特徴とする請求項１〜３のいずれかに記載の椅子。
【請求項５】
背凭れにおける左右方向を向く上部フレームを、第１取付部材の前部と第２取付部材の前部とにより上下から挟んで締め付けることにより、両取付部材を前記背凭れに取付けたことを特徴とする請求項１〜４のいずれかに記載の椅子。
【請求項６】
第１取付部材の前部下面に左右方向を向く凹溝を設け、この凹溝を背凭れにおける上部フレームに上方より嵌合し、かつ前記凹溝の下部開口を、前記第２取付部材１２の前部をもって閉塞させた状態で、前記第２取付部材を第１取付部材に取付ねじをもって螺締したことを特徴とする請求項５記載の椅子。
【発明の詳細な説明】
【技術分野】
【０００１】
本発明は、ハンガーやヘッドレスト等のオプション部材を背凭れに取付けた椅子に関する。
【背景技術】
【０００２】
本願出願人は、椅子の背凭れにオプション部材としてのハンガーを取付ける構造の発明について、特許出願を行った（特開２００６−２８０４５５）。
この発明は、背凭れフレームにおけるハンガー取付部に設けた取付孔に、前方から左右１対のボスを備えるねじ座を、ボスを前記取付孔に貫挿させることにより取付けるとともに、後方に突出したボスを利用して、第１部材を取付け、この第１部材の後方から第２部材を、第１部材と第２部材間に、ハンガーの支持杆を挾持させた状態で、取付ねじを前記ボスのねじ孔に螺合することにより、ハンガーを背凭れフレームに取付けるものである。
【０００３】
しかし、ねじ座と第１、２部材の３個の部品を、嵌合等により、簡易に位置決めしているため、取付作業中に、これらの部品が分離しないように十分に注意して作業を行う必要があり、作業効率の向上が望まれるとともに、背凭れフレームに取付孔を穿設しなければならないという問題もあった。
【先行技術文献】
【特許文献】
【０００４】
【特許文献１】特開２００６−２８０４５５号公報
【発明の概要】
【発明が解決しようとする課題】
【０００５】
本発明は、従来の技術が有する上記のような問題点に鑑みてなされたもので、背凭れに取付孔を穿設することなく、オプション部材を背凭れに容易かつ強固に取付けることができるとともに、オプション部材の取り付け作業効率が良好な椅子を提供することを目的としている。
【０００６】
本発明によると、上記課題は、次のようにして解決される。
（１）背凭れと、この背凭れに取付支持体を介して取り付けられたオプション部材とを備える椅子において、前記取付支持体は、前部に、前記背凭れへの取付部を有し、かつ後部に、前後方向に弾性変形可能であって、前記オプション部材を、弾性的に挾持することによって上下位置調節可能に支持する支持部を有する第１取付部材と、後部が前記第１取付部材の支持部の一部に当接して、その一部を前記オプション部材に向かって押動するようにして、前記第１取付部材に取り付けられた第２取付部材とを備えるものとする。
【０００７】
このような構成によると、第２取付部材の後部が第１取付部材の支持部の一部に圧接し、この圧接により、第１取付部材の支持部の一部がオプション部材に向かって押されて、オプション部材は、位置安定よく取付支持体に支持される。
【０００８】
（２）上記(１)項において、第２取付部材を、第１取付部材に、取付ねじをもって締め付けて固定し、かつ第２取付部材の後部と第１取付部材の支持部との対向面を、前記取付ねじの締め付けに伴って、前記第２取付部材の後部が、前記支持部を、オプション部材に向かって押圧するような傾斜面とする。
【０００９】
このような構成によると、取付ねじの締め付けに伴って、第１取付部材と第２取付部材との傾斜面同士が、互いに圧接して、第２取付部材の後部により、第１取付部材の支持部がオプション部材に向かって漸次押圧され、オプション部材は、一層位置安定よく背凭れに強固に取り付けられる。
【００１０】
（３）上記(１)または(２)項において、支持部が、第１取付部材の後部に設けた後面板と、その前方に設けた弾性変形可能とした弾性突片とを備え、前記後面板と弾性突片とをもって、オプション部材における上下方向を向く部分を弾性力により把持するようにする。
【００１１】
このような構成によると、オプション部材における上下方向を向く部分を、後面板と弾性突片とをもって、弾性突片の弾性復元力により把持して、オプション部材を安定よく保持することができる。
【００１２】
（４）上記(１)〜(３)項のいずれかにおいて、第１取付部材の前部に、左右方向を向く枢軸を設け、第２取付部材の前部に、前記枢軸に回動可能に嵌合する嵌合部を設け、前記嵌合部を枢軸に嵌合させた状態で、第２取付部材における前記枢軸または嵌合部から離れた部分を、前記第１取付部材に螺締することにより、第２取付部材の後端に設けた突出部を、支持部の前面に当接させるようにする。
【００１３】
このような構成によると、第１取付部材と第２取付部材との取り付け作業効率を高めることができるので、背凭れへのオプション部材の取り付け作業効率を高めることができる。
【００１４】
（５）上記(１)〜(４)項のいずれかにおいて、背凭れにおける左右方向を向く上部フレームを、第１取付部材の前部と第２取付部材の前部とにより上下から挟んで締め付けることにより、両取付部材を前記背凭れに取付ける。
【００１５】
このような構成によると、背凭れに取付孔を穿設する必要が無くなるとともに、オプション部材を、背凭れに、作業効率よく、強固に取り付けることができる。
【００１６】
（６）上記(５)項において、第１取付部材の前部下面に左右方向を向く凹溝を設け、この凹溝を背凭れにおける上部フレームに上方より嵌合し、かつ前記凹溝の下部開口を、前記第２取付部材１２の前部をもって閉塞させた状態で、前記第２取付部材を第１取付部材に取付ねじをもって螺締する。
【００１７】
このような構成によると、第１取付部材を、凹溝をもって背凭れの上部フレームに上方より嵌合させるだけで、背凭れに取り付けることができるとともに、背凭れに保持させることができるので、組付け作業性がよい。
【発明の効果】
【００１８】
本発明によると、背凭れフレームに取付孔を穿設することなく、オプション部材を背凭れに容易かつ強固に取付けることができるとともに、オプション部材の取り付け作業効率が良好な椅子を提供することができる。
【図面の簡単な説明】
【００１９】
【図１】オプション部材としてのハンガーを、背凭れに取付けた本発明の椅子の一実施形態を示す要部後方傾斜視図である。
【図２】図１に示した本発明の一実施形態の正面図である。
【図３】同じく、側面図である。
【図４】ハンガーの前方斜視図である。
【図５】第１取付部材の前方斜視図である。
【図６】同じく、第１取付部材の後方斜視図である。
【図７】同じく、第１取付部材の正面図である。
【図８】同じく、第１取付部材の平面図である。
【図９】同じく、第１取付部材の底面図である。
【図１０】同じく、第１取付部材の側面図である。
【図１１】第２取付部材の前方斜視図である。
【図１２】同じく、第２取付部材の後方斜視図である。
【図１３】同じく、第２取付部材の正面図である。
【図１４】同じく、第２取付部材の平面図である。
【図１５】同じく、第２取付部材の側面図である。
【図１６】第１取付部材と第２取付部材とを用いて、ハンガーを背凭れの上部フレームに取付ける手順を示す断面図である。
【図１７】図２におけるＸＶＩＩ〜ＸＶＩＩ線断面図である。
【図１８】同じく、図２におけるＸＶＩＩＩ〜ＸＶＩＩＩ線断面図である。
【図１９】同じく、図２におけるＸＩＸ〜ＸＩＸ線断面図である。
【発明を実施するための形態】
【００２０】
以下、本発明の実施形態を、図面を参照して説明する。
図１は、オプション部材としてのハンガーを、背凭れに取付けた本発明の椅子の一実施形態を示す要部後方斜視図、図２、図３は、それぞれ同じく要部の正面図、側面図である。図４は、ハンガーの前方斜視図である。
【００２１】
オプション部材としてのハンガー１が、椅子の背凭れ２における左右方向の上部フレーム３に、取付支持体４により取付けられている。上部フレーム３は、平面視において後向きに突出する緩やかな湾曲をなしている（図１９参照）。
【００２２】
ハンガー１は、ハンガー本体５と、このハンガー本体５を支持する左右１対の支持杆６、６とにより構成されている。
【００２３】
ハンガー本体５は、背広等が掛けられる程度の長さに左右方向に延びている。ハンガー本体５を支持する左右１対の支持杆６、６は、互いに平行な下部支持杆７、７と、各下部支持杆７、７の上端から上方に向けて互いに離間する方向に湾曲しつつ、ハンガー本体５の左右両端部へと至り、かつ断面積が下部支持杆７側からハンガー本体５側に向けて漸次減少していく上部支持杆８、８と、下部支持杆７、７の下端から下方に向かうに従って、互いに接近する方向に湾曲された連結杆９、９とよりなり、両下部支持杆７、７は、両連結杆９、９を介して、その下端において、相互に連結されている。
【００２４】
上部支持杆８、８の上端を、図示を省略したビスをもってハンガー本体５の下面における左右端近傍に止着することにより、支持杆６、６はハンガー本体５に取付けられている。図４に示すように、下部支持杆７、７の前面には、側面視において複数の山形部１０ａが上下方向に連続する波形面部１０が設けられている。
【００２５】
取付支持体４は、第１取付部材１１と第２取付部材１２とより構成されている。
【００２６】
図５〜図１０は、それぞれ第１取付部材１１の前方斜視図、後方斜視図、正面図、平面図、底面図、側面図である。図１１〜図１５は、それぞれ第２取付部材１２の前方斜視図、後方斜視図、正面図、平面図、側面図である。  
【００２７】
第１取付部材１１は、本体部１３と後面板１４と前面版１５とより構成されている。
【００２８】
本体部１３は、左右方向に長い、四辺形状の天板１７の下面における左右端近傍に、側面版１８、１８が設けられ、天板１７の下面には、左右１対のねじ孔１９、１９が設けられている（図９参照）。
【００２９】
後面板１４は、その左右端１４ａ、１４ａが、本体部１３の天板１７よりも左右にはみ出した状態で、本体部１３の後面に一体化されている。
【００３０】
本体部１３における天板１７の前端縁には、前部が下向きに湾曲した前面版１５が一体的に設けられている。
【００３１】
前面板１５の上面１５ａと、本体部１３における天板１７の上面１７ａと、後面板１４の上端縁１４ｂは、同一平面上に一体化されている。
【００３２】
前面板１５における前板１５ａは、平面視において、前方に凹状に緩やかに湾曲している。前面板１５の内面と本体部１３の前面とにより、左右方向に下向きの凹溝２０が形成されている。この凹溝２０は、後記するように、第１取付部材１１を上方から、背凭れ２の上部フレーム３におけるオプション部材取付部３ａに嵌合させて第１取付部材１１を上部フレーム３に取付けるためのものである。
【００３３】
第１取付部材１１における前板１５ａが前方に凹状に緩やかに湾曲しているため、同様に湾曲した上部フレーム３に、第１取付部材１１を良好に取付けることができる。
【００３４】
前記前板１５ａの前面における左右端近傍には、それぞれ左右１対の側面視ほぼ三角形状の取付片２１、２１が突設されており、これら１対の取付片２１、２１間に左右方向の枢軸２２が設けられている。
【００３５】
本体部１３における左右側面板１８、１８の左右方向の外側面には、前後方向に弾性変形可能に弾性突片２３が突設されている。図１０に示すように、弾性突片２３の後端縁は、後向きＶ字状の凹状面２３ａをなし、前端縁は、前方に傾斜する傾斜面２３ｂをなしている。
【００３６】
図１１〜図１５に示すように、第２取付部材１２は、基板部２４と嵌合部２５と取付部２６とより構成されている。基板部２４は、後方に傾斜するとともに、後方に凸状に緩やかに湾曲した縦片２４ａと、この縦片２４ａの下端から前向きに延設された横片２４ｂとより形成されている。基板部２４における横片２４ｂの前端縁には、左右１対の下向きに開口するフック状の嵌合部２５、２５が設けられている。縦片２４ａの後面における左右端近傍には、側面視ほぼ三角形状の突出部２７が設けられており、この突出部２７の後面上半部は、前方に傾斜する傾斜面２７ａをなしている。
【００３７】
基板部２４における縦片２４ａの後面中央には、側面視下向きコ字状の取付部２６が設けられ、この取付部２６には、左右１対の上下方向の通孔２８、２８が穿設されている。
【００３８】
次に、これら第１取付部材１１と第２取付部材１２とを用いて、ハンガー１を、背凭れ２の上部フレーム３に取付ける手順について説明する。
【００３９】
図１６は、前記手順を示す図であり、図２におけるＸＶＩ〜ＸＶＩ線断面図である。
【００４０】
図１７〜図１９は、それぞれ図２におけるＸＶＩＩ〜ＸＶＩＩ線断面図、ＸＶＩＩＩ〜ＸＶＩＩＩ線断面図、ＸＩＸ〜ＸＩＸ線断面図である。
【００４１】
まず、オプション部材１を、第１取付部材１１に支持させる。第１取付部材１１において、前面板１５と後面板１４との間に形成されている左右方向の外側向きに開口する左右１対の凹嵌部２９、２９が、オプション部材１の支持部となっている。
【００４２】
第１取付部材１１を、オプション部材１における左右の上部支持杆８、８間に位置させて、下方に向けて移動させ、第１取付部材１１における前記左右の凹嵌部２９、２９を下部支持杆７、７に嵌合させるとともに下部支持杆７の波形面部１０における山形部１０ａを、第１取付部材１１における弾性突片２３の凹状面２３ａに嵌合させる（図１６（ａ）参照）。
【００４３】
弾性突片２３は、前後方向に弾性変形可能となっているため、この弾性力と、前記山形部１０ａと凹状面２３との嵌合により、ハンガー１は、第１取付部材１１に位置を安定よく支持される。
【００４４】
次いで、図１６（ａ）に示すように、第１取付部材１１における凹溝２０を、背凭れ２における上部フレーム３のオプション部材取付部３ａに上方から嵌合させることにより、第１取付部材１１を上部フレーム３に取付ける。
【００４５】
次に、第２取付部材１２を、天地逆にして、その嵌合部２５を、第１取付部材１１の枢軸２２に下方から嵌合させて、第２取付部材１２を第１取付部材１１に取付ける。
【００４６】
次に、図１６（ｂ）に示すように、第２取付部材１２を矢印Ａの向きに回動させて、図１６（ｃ）に示すように、第１取付部材１１における凹溝２０の下部開口を、第２取付部材１２を持って閉塞する。第２取付部材１２における基板部２４の横片２４ｂと、突出部２７とが閉塞部として機能している。
【００４７】
次に、図１７に示すように、取付ねじ３０を、第２取付部材１２における取付部２６の通孔２８を貫挿させて、第１取付部材１１における天板１７の下面に設けられたねじ孔１９に螺合して、第２取付部材１２を第１取付部材１１に螺締する。
【００４８】
これによって、第１取付部材１１における弾性突片２３の傾斜面２３ｂと、第２取付部材１２における突出部２７の傾斜面２７ａとは、相互に圧接し（図１６（ｃ）参照）、第１取付部材１１と第２取付部材１２同士が強固に固着されるとともに、この圧接により、第１取付部材１１の弾性突片２３が後方に押されて、ハンガー１が一層位置安定よく取付支持体４に支持される。
なお、実施例においては、オプション部材として、ハンガーを例にとり説明したが、その他、ヘッドレスト等の任意のオプション部材の取付に本発明を適用できる。
【符号の説明】
【００４９】
１  ハンガー（オプション部材）
２  背凭れ
３  上部フレーム
３ａ  オプション部材取付部 
４  取付支持体
５  ハンガー本体
６  支持杆
７  下部支持杆
８  上部支持杆
９  連結杆
１０  波形面部
１０ａ  山形部
１１  第１取付部材
１２  第２取付部材
１３  本体部
１４  後面板
１５  前面板
１７  天板
１８  側面板
１９  ねじ孔
２０  凹溝
２１  取付片
２２  枢軸
２３  弾性突片
２３ａ  凹状面
２３ｂ  傾斜面
２４  基板部
２４ａ  縦片
２４ｂ  横片
２５  嵌合部
２６  取付部
２７  突出部
２７ａ  傾斜面
２８  通孔
２９  凹嵌部（支持部）
３０  取付ねじ
【図１】
0005438181.tif 000002
【図２】
0005438181.tif 000003
【図３】
0005438181.tif 000004
【図４】
0005438181.tif 000005
【図５】
0005438181.tif 000006
【図６】
0005438181.tif 000007
【図７】
0005438181.tif 000008
【図８】
0005438181.tif 000009
【図９】
0005438181.tif 000010
【図１０】
0005438181.tif 000011
【図１１】
0005438181.tif 000012
【図１２】
0005438181.tif 000013
【図１３】
0005438181.tif 000014
【図１４】
0005438181.tif 000015
【図１５】
0005438181.tif 000016
【図１６】
0005438181.tif 000017
【図１７】
0005438181.tif 000018
【図１８】
0005438181.tif 000019
【図１９】
0005438181.tif 000020